(57)【要約】【課題】体に対する負担および体感重量が軽減された形態で荷物を搬送することのできる搬送装置。【解決手段】物品を載置して搬送するための組立式搬送装置。第１水平材（１ａ）と第１水平材の一端から上方へ延びる第１直立材（１ｂ）とを有する一対の第１部材（１）と、第１水平材に対して挿脱自在な第２水平材（２ａ）と第２水平材の一端から上方へ延びる第２直立材（２ｂ）とを有する一対の第２部材（２）と、一対の第１直立材同士を係脱自在に連結するための第１サイド部材（３）と、一対の第２直立材同士を係脱自在に連結するための第２サイド部材（４）とを備えている。【選択図】  図２
2004196392.tif 000002
【特許請求の範囲】
【請求項１】
物品を載置して搬送するための組立式搬送装置において、
第１水平材と該第１水平材の一端から上方へ延びる第１直立材とを有する一対の第１部材と、
前記第１水平材に対して挿脱自在な第２水平材と該第２水平材の一端から上方へ延びる第２直立材とを有する一対の第２部材と、
前記一対の第１直立材同士を係脱自在に連結するための第１サイド部材と、
前記一対の第２直立材同士を係脱自在に連結するための第２サイド部材とを備えていることを特徴とする組立式搬送装置。
【請求項２】
前記一対の第１直立材および前記一対の第２直立材の上部には把手が設けられていることを特徴とする請求項１に記載の組立式搬送装置。
【請求項３】
前記第１水平材に対して挿入された前記第２水平材をロックするためのロック部材を備えていることを特徴とする請求項１または２に記載の組立式搬送装置。
【請求項４】
前記ロック部材は、複数の挿入位置のうち任意の挿入位置においてロックすることを特徴とする請求項３に記載の組立式搬送装置。
【発明の詳細な説明】
【０００１】
【発明の属する技術分野】
本発明は、組立式搬送装置に関する。
【０００２】
【従来の技術】
従来、たとえばシステムキッチンのキャビネットのような重量荷物（物品）を運ぶ場合、二人で荷物を下から持ち上げて搬送するのが通常であった。
【０００３】
【発明が解決しようとする課題】
この場合、腰を曲げて大きな力で荷物を高く持ち上げて不自然な姿勢で運ぶ必要があり、体感重量が非常に大きく、ひいては体に対する負担が大きいという不都合があった。
【０００４】
本発明は、前述の課題に鑑みてなされたものであり、体に対する負担および体感重量が軽減された形態で荷物を搬送することのできる搬送装置を提供することを目的とする。
【０００５】
【課題を解決するための手段】
前記課題を解決するために、本発明では、物品を載置して搬送するための組立式搬送装置において、
第１水平材と該第１水平材の一端から上方へ延びる第１直立材とを有する一対の第１部材と、
前記第１水平材に対して挿脱自在な第２水平材と該第２水平材の一端から上方へ延びる第２直立材とを有する一対の第２部材と、
前記一対の第１直立材同士を係脱自在に連結するための第１サイド部材と、
前記一対の第２直立材同士を係脱自在に連結するための第２サイド部材とを備えていることを特徴とする組立式搬送装置を提供する。
【０００６】
本発明の好ましい態様によれば、前記一対の第１直立材および前記一対の第２直立材の上部には把手が設けられている。また、前記第１水平材に対して挿入された前記第２水平材をロックするためのロック部材を備えていることが好ましい。この場合、前記ロック部材は、複数の挿入位置のうち任意の挿入位置においてロックすることが好ましい。
【０００７】
【発明の実施の形態】
本発明の実施形態を、添付図面に基づいて説明する。
図１は、本発明の実施形態にかかる組立式搬送装置の構成を概略的に示す図であって、組立前における各構成部材を示している。また、図２は、本実施形態にかかる組立式搬送装置の構成を概略的に示す図であって、組立状態における装置を示している。さらに、図３は、本実施形態におけるロック部材の構成を概略的に示す図である。また、図４は、本実施形態にかかる組立式搬送装置の使用態様を説明する図である。
【０００８】
図１（ａ）を参照すると、本実施形態にかかる組立式搬送装置は、水平に延びる第１水平材１ａと、第１水平材１ａの一端から上方へ延びる第１直立材１ｂとを有する一対の第１部材１を備えている。ここで、第１水平材１ａおよび第１直立材１ｂは、たとえば矩形状の中空断面を有するパイプ材により形成されている。また、第１直立材１ｂの上端には、水平方向に突出した把手１ｃが設けられている。
【０００９】
また、本実施形態にかかる組立式搬送装置は、水平に延びて第１水平材１ａに対して挿脱自在な第２水平材２ａと、第２水平材２ａの一端から上方へ延びる第２直立材２ｂとを有する一対の第２部材２を備えている。ここで、第２水平材２ａは、矩形状の中空断面を有する第１水平材１ａに対して挿入可能な断面として、たとえば上に向かって開口したＣ字状の断面を有する。一方、第２直立材２ｂは、第１直立材１ｂと同様に、たとえば矩形状の中空断面を有するパイプ材により形成され、その上端には水平方向に突出した把手２ｃが設けられている。
【００１０】
さらに、図１（ｂ）に示すように、本実施形態にかかる組立式搬送装置は、一対の第１直立材１ｂ同士を係脱自在に連結するための第１サイド部材３と、一対の第２直立材２ｂ同士を係脱自在に連結するための第２サイド部材４とを備えている。ここで、第１サイド部材３と第２サイド部材４とは互いに同じ構成を有する。具体的には、第１サイド部材３および第２サイド部材４は、たとえば矩形状の中空断面を有するパイプ材により全体として矩形状に形成されている。
【００１１】
なお、第１サイド部材３および第２サイド部材４には、たとえば４つの係合突出部３ａおよび４ａがそれぞれ設けられている。そして、一対の第１部材１の第１直立材１ｂおよび一対の第２部材２の第２直立材２ｂには、係合突出部３ａおよび４ａに対応するように、係合受け部１ｄおよび２ｄがそれぞれ設けられている。具体的には、係合突出部（３ａ，４ａ）は棒状材により形成され、係合受け部（１ｄ，２ｄ）は筒状材により形成されている。
【００１２】
また、一対の第１部材１の第１水平材１ａには、たとえば等間隔を隔てて４つの孔１ｅが形成されている。そして、一対の第２部材２の第２水平材２ａの先端の近傍には、孔１ｅとほぼ同じ大きさの孔２ｅが形成されている。孔１ｅと２ｅとは、第１水平材１ａに対して挿入された第２水平材２ａをロック（係止）するためのロック部材の一部を構成するが、ロック部材の具体的な構成については図３を参照して後述する。
【００１３】
こうして、図２（ａ）に示すように、一対の第１部材１および一対の第２部材２について第１水平材１ａに第２水平材２ａを挿入してロックすることにより、全体的に「コの字」状のフレーム（１，２）が２組構成される。そして、２組のフレーム（１，２）を間隔を隔てて配置した状態で、各係合突出部（３ａ，４ａ）の先端部を対応する係合受け部（１ｄ，２ｄ）に挿入することにより、一対の第１直立材１ｂ同士が第１サイド部材３により連結され、一対の第２直立材２ｂ同士が第２サイド部材４により連結され、ひいては２組のフレーム（１，２）が一対のサイド部材（３，４）により連結されて、搬送装置の組立が終了する。
【００１４】
図３を参照すると、本実施形態におけるロック部材５は、一対の第２部材２の第２水平材２ａに形成された孔２ｅを貫通するピン部材５ａと、ピン部材５ａの先端を孔２ｅを介して外部へ付勢するためのばね部材５ｂとを備えている。また、ピン部材５ａの中央付近には突出部５ｃが形成され、この突出部５ｃと係合するトリガー部材５ｄが第２水平材２ａの長手方向に沿って延びている。
【００１５】
トリガー部材５ｄは、その把手５ｅを矢印Ｆの方向に引いたときに突出部５ｃを図中上方へ押し上げる機能を有するように構成されている。したがって、把手５ｅを把持してトリガー部材５ｄを矢印Ｆの方向に引くことにより、ピン部材５ａを図中上方へ押し上げて、ピン部材５ａの先端が第２水平材２ａから外部へほとんど突出しない状態を実現することができる。ただし、把手５ｅを離すと、ばね部材５ｂの作用により、ピン部材５ａの先端が第２水平材２ａから外部へ大きく突出して初期状態に戻ることになる。
【００１６】
本実施形態では、トリガー部材５ｄを矢印Ｆの方向に引いて、ピン部材５ａの先端が第２水平材２ａから外部へほとんど突出しない状態を維持しながら第１水平材１ａに第２水平材２ａを挿入する。そして、所望の挿入位置の近傍においてトリガー部材５ｄの把手５ｅを離すとともに、第１水平材１ａに対して第２水平材２ａを前後に微動させると、ピン部材５ａの先端が第１水平材１ａに形成された４つの孔１ｅのうちの所望の孔を貫通する。こうして、ロック部材５の作用により、第１水平材１ａに対して挿入された第２水平材２ａを４つの挿入位置のうち任意の挿入位置においてロックすることができる。
【００１７】
本実施形態では、図４に示すように、搬送すべき荷物１０のサイズに応じて、搬送装置を組み立てる。具体的には、上述したように、一対の第１部材１および一対の第２部材２について第１水平材１ａに第２水平材２ａを挿入し、ロック部材５の作用により、第１水平材１ａに対して挿入された第２水平材２ａを荷物１０のサイズに応じた所要の挿入位置においてロックする。そして、２組のフレーム（１，２）を間隔を隔てて配置した状態で各係合突出部（３ａ，４ａ）の先端部を対応する係合受け部（１ｄ，２ｄ）に挿入することにより、２組のフレーム（１，２）を一対のサイド部材（３，４）により連結して、搬送装置の組立を完了する。
【００１８】
こうして、組立てられた搬送装置に荷物１０を載置し、一対の把手１ｃを両手で把持する人と一対の把手２ｃを両手で把持する人とにより、自然な姿勢で荷物１０を搬送することができる。なお、搬送装置に荷物１０を載置した後に、必要に応じて、たとえば合板と皮製ヒンジとからなるコーナーパッドなどを用いて、荷物１０の隅角部を保護することが好ましい。また、たとえばワンタッチバックルが装着された荷固定バンドなどを用いて、搬送装置に対して荷物１０を安定的に固定することが好ましい。
【００１９】
以上のように、本実施形態では、腰を曲げて大きな力で荷物を高く持ち上げて不自然な姿勢で運ぶ必要がなく、荷物１０を僅かに持ち上げて組立式搬送装置に載置して自然な姿勢で荷物１０を搬送するので、体に対する負担および体感重量が軽減された形態で荷物１０を搬送することができる。また、本実施形態では、搬送装置の組立および分解を容易に且つ迅速に行うことができるので、荷物１０とともに搬送装置もトラックに積み込む必要がある場合、分解した状態で搬送装置を積み込むことにより積荷の省スペース化を図ることができる。
【００２０】
さらに、本実施形態では、一対の第１直立材１ｂおよび一対の第２直立材２ｂの上部に一対の把手１ｃおよび２ｃが設けられているので、所定の高さに位置決めされた一対の把手１ｃおよび２ｃを両手で把持する自然な姿勢で荷物１０を安定的に搬送することができる。また、本実施形態では、ロック部材５の作用により第１水平材１ａに対して挿入された第２水平材２ａを所望の挿入位置においてロックすることができるため、荷物１０のサイズに応じた所要の寸法に搬送装置を組み立てることができ、搬送すべき荷物１０のサイズに対応した使用態様が可能であって使い勝手が非常に良い。
【００２１】
なお、図４に示すように、本実施形態の組立式搬送装置を、周知の構成を有するキャスター付きリフター（昇降機）１１と組み合わせて用いることができる。キャスター付きリフター１１は、水平支持面が連続的に上下する（昇降する）機能と、重量物を載せて移動する機能とを備えている。したがって、荷物１０が載置された本実施形態の組立式搬送装置を、たとえば水平支持面が最も低い状態に設定されたキャスター付きリフター１１に載せて手押しすることにより、荷物１０が載置された組立式搬送装置を安定的に且つ容易に移動させることができる。
【００２２】
また、この状態でキャスター付きリフター１１をトラックの脇に停止させ、その水平支持面をトラックの荷台の高さまで上昇させて、荷物１０が載置された組立式搬送装置をトラックの荷台へ容易に積み込むことができる。逆に、トラックの荷台の高さまで水平支持面が上昇した状態でキャスター付きリフター１１をトラックの脇に停止させ、荷物１０が載置された組立式搬送装置をトラックの荷台からキャスター付きリフター１１の水平支持面へ移動させ、水平支持面を最も低い状態まで下降させることにより、荷物１０が載置された組立式搬送装置をトラックの荷台から容易に降ろすことができる。
【００２３】
【発明の効果】
以上説明したように、本発明では、腰を曲げて大きな力で荷物を高く持ち上げて不自然な姿勢で運ぶ必要がなく、荷物を僅かに持ち上げて組立式搬送装置に載置して自然な姿勢で荷物を搬送するので、体に対する負担および体感重量が軽減された形態で荷物を搬送することができる。また、本発明では、搬送装置の組立および分解を容易に且つ迅速に行うことができるので、荷物とともに搬送装置をトラックに積み込む必要がある場合、分解した状態で搬送装置を積み込むことにより積荷の省スペース化を図ることができる。
【００２４】
なお、本発明では、一対の第１直立材および一対の第２直立材の上部に把手を設けることにより、所定の高さに位置決めされた把手を両手で把持する自然な姿勢で荷物を安定的に搬送することができる。また、本発明では、ロック部材の作用により第１水平材に対して挿入された第２水平材を所望の挿入位置においてロックする構成を採用することにより、荷物のサイズに応じた所要の寸法に搬送装置を組み立てることができ、搬送すべき荷物のサイズに対応した使用態様が可能になって使い勝手が向上する。
【図面の簡単な説明】
【図１】本発明の実施形態にかかる組立式搬送装置の構成を概略的に示す図であって、組立前における各構成部材を示している。
【図２】本実施形態にかかる組立式搬送装置の構成を概略的に示す図であって、組立状態における装置を示している。
【図３】本実施形態におけるロック部材の構成を概略的に示す図である。
【図４】本実施形態にかかる組立式搬送装置の使用態様を説明する図である。
【符号の説明】
１  第１部材
１ａ  第１水平材
１ｂ  第１直立材
１ｃ，２ｃ  把手
１ｄ，２ｄ  係合受け部
１ｅ，２ｅ  孔
２  第２部材
２ａ  第２水平材
２ｂ  第２直立材
３  第１サイド部材
３ａ，４ａ  係合突出部
４  第２サイド部材
５  ロック部材
５ａ  ピン部材
５ｂ  ばね部材
５ｃ  ピン部材の突出部
５ｄ  トリガー部材
５ｅ  トリガー部材の把手
１０  荷物
【図１】
2004196392.tif 000003
【図２】
2004196392.tif 000004
【図３】
2004196392.tif 000005
【図４】
2004196392.tif 000006